(57)【要約】【課題】  読みの分からない漢字を、操作性良く、かな漢字変換辞書に登録できるようする。【解決手段】  利用者は、読みの分からない漢字を入力する場合、キー項目の値（例えば、漢字のＪＩＳコード）を含む検索条件を入力する。漢字検索手段１２は、検索条件が入力されると、漢字と、その読みと、上記漢字を検索する際に使用するキー項目の値とが対応付けて登録された漢字検索用データ記憶部２１から、検索条件に合う漢字および読みを検索し、検索した漢字と読みを表示部４に表示する。これにより、利用者は、漢字の読みを認識することができる。辞書登録手段１３は、漢字検索手段１２で検索された漢字と読みとの対をかな漢字変換辞書２２に登録する。【選択図】      図１
2007034583.tif 000002
【特許請求の範囲】
【請求項１】
漢字と、該漢字の読みとが対応付けて登録されたかな漢字変換辞書と、
漢字と、該漢字の読みと、前記漢字を検索する際に使用するキー項目の値とが対応付けて登録された漢字検索用データ記憶部と、
キー項目の値を含む検索条件が入力されたとき、前記漢字検索用データ記憶部から前記検索条件に合う漢字と読みとの対を検索し、該検索した漢字と読みとの対を表示部に表示する漢字検索手段と、
該漢字検索手段で検索された漢字と読みとの対を前記かな漢字変換辞書に登録する辞書登録手段とを備えたことを特徴とするかな漢字変換装置。
【請求項２】
請求項１記載のかな漢字変換装置において、
登録漢字一覧記憶部と、
前記漢字検索手段で検索された漢字と読みとの対を前記登録漢字一覧記憶部に登録する一覧登録手段と、
前記登録漢字一覧記憶部に登録されている漢字と読みとの対を前記表示部に表示する一覧表示手段とを備えたことを特徴とするかな漢字変換装置。
【請求項３】
請求項１または２記載のかな漢字変換装置において、
前記辞書登録手段が、前記表示部に表示されている漢字と読みとの対の内の、利用者によって指定された漢字と読みとの対を前記かな漢字変換辞書に登録する構成を有することを特徴とするかな漢字変換装置。
【請求項４】
請求項１、２または３記載のかな漢字変換装置において、
前記キー項目が、コード、画数あるいは部首であることを特徴とするかな漢字変換装置。
【請求項５】
漢字と該漢字の読みとが対応付けて登録されたかな漢字変換辞書と、漢字と該漢字の読みと前記漢字を検索する際に使用するキー項目の値とが対応付けて登録された漢字検索用データ記憶部とを備えたかな漢字変換装置において、
キー項目の値を含む検索条件が入力されたとき、前記漢字検索用データ記憶部から前記検索条件に合う漢字と読みとの対を検索し、該検索した漢字と読みとの対を表示部に表示する漢字検索ステップと、
該漢字検索ステップで検索された漢字と読みとの対を前記かな漢字変換辞書に登録する辞書登録ステップとを実行することを特徴とする漢字登録方法。
【請求項６】
請求項５記載の漢字登録方法において、
前記漢字検索ステップで検索された漢字と読みとの対を登録漢字一覧記憶部に登録する一覧登録ステップと、
前記登録漢字一覧記憶部に登録されている漢字と読みとの対を前記表示部に表示する一覧表示ステップとを実行することを特徴とする漢字登録方法。
【請求項７】
請求項５または６記載の漢字登録方法において、
前記辞書登録ステップでは、前記表示部に表示されている漢字と読みとの対の内の、利用者によって指定された漢字と読みとの対を前記かな漢字変換辞書に登録することを特徴とする漢字登録方法。
【請求項８】
請求項５、６または７記載の漢字登録方法において、
前記キー項目が、コード、画数あるいは部首であることを特徴とする漢字登録方法。
【請求項９】
漢字と該漢字の読みとが対応付けて登録されたかな漢字変換辞書と、漢字と該漢字の読みと前記漢字を検索する際に使用するキー項目の値とが対応付けて登録された漢字検索用データ記憶部とを備えたコンピュータを、
キー項目の値を含む検索条件が入力されたとき、前記漢字検索用データ記憶部から前記検索条件に合う漢字と読みとの対を検索し、該検索した漢字と読みとの対を表示部に表示する漢字検索手段、
該漢字検索手段で検索された漢字と読みとの対を前記かな漢字変換辞書に登録する辞書登録手段として機能させるためのプログラム。
【請求項１０】
請求項９記載のプログラムにおいて、
前記コンピュータが、登録漢字一覧記憶部を有し、且つ、
前記コンピュータを、
前記漢字検索手段で検索された漢字と読みとの対を前記登録漢字一覧記憶部に登録する一覧登録手段、
前記登録漢字一覧記憶部に登録されている漢字と読みとの対を前記表示部に表示する一覧表示手段として機能させるためのプログラム。
【請求項１１】
請求項９または１０記載のプログラムにおいて、
前記辞書登録手段が、前記表示部に表示されている漢字と読みとの対の内の、利用者によって指定された漢字と読みとの対を前記かな漢字変換辞書に登録する構成を有することを特徴とするプログラム。
【請求項１２】
請求項９、１０または１１記載のプログラムにおいて、
前記キー項目が、コード、画数あるいは部首であることを特徴とするプログラム。
【発明の詳細な説明】
【技術分野】
【０００１】
本発明は、入力された読み（かな）を漢字に変換するかな漢字変換技術に関し、特に、利用者が読みの分からない漢字をかな漢字変換辞書へ容易に登録することができるかな漢字変換技術に関する。
【背景技術】
【０００２】
かな漢字変換技術を利用したワードプロセッサ等においては、読みの分からない漢字を入力するために、コード入力，画数入力，部首入力などの補助入力機能が設けられている。利用者は、読みの分からない漢字を入力する場合には、上記した補助入力機能を用いて読みの分からない漢字を入力する。例えば、読みの分からない漢字「嚴」をコード入力する場合には、利用者は、例えば、漢字「嚴」のＪＩＳコード「５３６Ｅ」を入力し、補助入力機能は、入力されたＪＩＳコード「５３６Ｅ］に対応する漢字「嚴」および読み「ゲン，ゴン，イツクし，オゴソか，キビしい」を表示する。その後、利用者によって確定操作が行われると、補助入力機能は、上記漢字を入力する。
【０００３】
ところで、読みの分からない漢字（例えば「嚴」）は、かな漢字変換辞書に登録されていない可能性が高いため、以降の上記漢字「嚴」の入力を容易にするには、辞書登録手段を利用して上記漢字「嚴」をかな漢字変換辞書に登録しておくことが必要になる。従来の一般的な辞書登録手段を利用して漢字「嚴」をかな漢字変換辞書に登録する場合、利用者は、所定のキー操作を行って辞書登録ウィンドウを表示し、そこに上記漢字「嚴」とその読み「ゲン」とを入力し、その後、確定操作を行う。これにより、辞書登録手段は、入力された漢字「嚴」と読み「ゲン」とを対応付けてかな漢字変換辞書に登録する。このように、かな漢字変換辞書に漢字「嚴」とその読み「ゲン」との対を登録しておけば、以降は、「ゲン」を入力し、かな漢字変換を行うことにより、目的の漢字「嚴」を容易に入力することが可能になる。
【０００４】
また、上記した一般的な辞書登録手段以外にも、次のような辞書登録技術が従来から知られている（例えば、特許文献１，２，３参照）。
【０００５】
特許文献１には、利用者がキー入力した読みに対応する語句がかな漢字変換辞書に登録されていない場合、上記読みを記憶部に格納しておき、その後、利用者がコード入力や読み換え入力などにより目的とする語句を入力したとき、上記記憶部に格納しておいた読みとコード入力などによって入力された語句とを対応付けてかな漢字変換辞書に登録する技術が記載されている。
【０００６】
また、特許文献２には、読み替え入力を行った漢字（例えば、「素」）を含む文字列（例えば、「形態素」）を記憶部に保存しておき、次回以降のかな漢字変換の読み入力時に、上記保存してある「形態素」の読みの候補（「けいたいそ」、「けいたいもと」、「けいたいす」等）と入力読み（「けいたいそ」とする)とをマッチングさせ、マッチングしたら、「形態素」を利用者に示し、利用者が確定操作を行ったら、「形態素」と入力読み「けいたいそ」とを対応付けてかな漢字変換辞書に登録する技術が記載されている。
【０００７】
また、特許文献３には、かな漢字変換辞書に登録されていない単語（例えば「特講」）を登録する場合、上記単語の読み候補（「とくこう」，「とっこう」など）を利用者に提示し、利用者が選択した読み候補と上記単語「特講」とを対応付けてかな漢字変換辞書に登録する技術が記載されている。
【特許文献１】特開平１０−５５３６２号公報
【特許文献２】特開平６−５２１５４号公報
【特許文献３】特許第３０５８８８５号
【発明の開示】
【発明が解決しようとする課題】
【０００８】
上述した従来の一般的な辞書登録手段は、漢字の入力操作、読みの入力操作などを行わなければならないので、利用者に負担がかかると共に、操作性が悪いという問題がある。
【０００９】
また、特許文献１に記載されている従来の技術は、事前に読みを入力する必要があるため、読みの分からない漢字の登録には利用できないという問題がある。
【００１０】
また、特許文献２に記載されている従来の技術は、読み換え入力によって入力した漢字を含んだ単語を入力した後、上記単語の正しい読みを入力する必要があるため、操作性が悪いという問題がある。
【００１１】
また、特許文献３に記載されている従来の技術は、利用者が読みの候補の中からかな漢字変換辞書に登録する読みを選択しなければならないため、操作性が悪いという問題がある。
【００１２】
〔発明の目的〕
そこで、本発明の目的は、読みの分からない漢字を操作性良くかな漢字変換辞書に登録できるようにすることにある。
【課題を解決するための手段】
【００１３】
本発明にかかる第１のかな漢字変換装置は、
漢字と、該漢字の読みとが対応付けて登録されたかな漢字変換辞書と、
漢字と、該漢字の読みと、前記漢字を検索する際に使用するキー項目の値とが対応付けて登録された漢字検索用データ記憶部と、
キー項目の値を含む検索条件が入力されたとき、前記漢字検索用データ記憶部から前記検索条件に合う漢字と読みとの対を検索し、該検索した漢字と読みとの対を表示部に表示する漢字検索手段と、
該漢字検索手段で検索された漢字と読みとの対を前記かな漢字変換辞書に登録する辞書登録手段とを備えたことを特徴とする。
【００１４】
本発明にかかる第２のかな漢字変換装置は、第１のかな漢字変換装置において、
登録漢字一覧記憶部と、
前記漢字検索手段で検索された漢字と読みとの対を前記登録漢字一覧記憶部に登録する一覧登録手段と、
前記登録漢字一覧記憶部に登録されている漢字と読みとの対を前記表示部に表示する一覧表示手段とを備えたことを特徴とする。
【００１５】
本発明にかかる第３のかな漢字変換装置は、第１または第２のかな漢字変換装置において、
前記辞書登録手段が、前記表示部に表示されている漢字と読みとの対の内の、利用者によって指定された漢字と読みとの対を前記かな漢字変換辞書に登録する構成を有することを特徴とする。
【００１６】
本発明にかかる第４のかな漢字変換装置は、第１、第２または第３のかな漢字変換装置において、
前記キー項目が、コード、画数あるいは部首であることを特徴とする。
【００１７】
本発明にかかる第１の漢字登録方法は、
漢字と該漢字の読みとが対応付けて登録されたかな漢字変換辞書と、漢字と該漢字の読みと前記漢字を検索する際に使用するキー項目の値とが対応付けて登録された漢字検索用データ記憶部とを備えたかな漢字変換装置において、
キー項目の値を含む検索条件が入力されたとき、前記漢字検索用データ記憶部から前記検索条件に合う漢字と読みとの対を検索し、該検索した漢字と読みとの対を表示部に表示する漢字検索ステップと、
該漢字検索ステップで検索された漢字と読みとの対を前記かな漢字変換辞書に登録する辞書登録ステップとを実行することを特徴とする。
【００１８】
本発明にかかる第２の漢字登録方法は、第１の漢字登録方法において、
前記漢字検索ステップで検索された漢字と読みとの対を登録漢字一覧記憶部に登録する一覧登録ステップと、
前記登録漢字一覧記憶部に登録されている漢字と読みとの対を前記表示部に表示する一覧表示ステップとを実行することを特徴とする。
【００１９】
本発明にかかる第３の漢字登録方法は、第１または第２の漢字登録方法において、
前記辞書登録ステップでは、前記表示部に表示されている漢字と読みとの対の内の、利用者によって指定された漢字と読みとの対を前記かな漢字変換辞書に登録することを特徴とする。
【００２０】
本発明にかかる第４の漢字登録方法は、第１、第２または第３の漢字登録方法において、
前記キー項目が、コード、画数あるいは部首であることを特徴とする。
【００２１】
本発明にかかる第１のプログラムは、
漢字と該漢字の読みとが対応付けて登録されたかな漢字変換辞書と、漢字と該漢字の読みと前記漢字を検索する際に使用するキー項目の値とが対応付けて登録された漢字検索用データ記憶部とを備えたコンピュータを、
キー項目の値を含む検索条件が入力されたとき、前記漢字検索用データ記憶部から前記検索条件に合う漢字と読みとの対を検索し、該検索した漢字と読みとの対を表示部に表示する漢字検索手段、
該漢字検索手段で検索された漢字と読みとの対を前記かな漢字変換辞書に登録する辞書登録手段として機能させる。
【００２２】
本発明にかかる第２のプログラムは、第１のプログラムにおいて、
前記コンピュータが、登録漢字一覧記憶部を有し、且つ、
前記コンピュータを、
前記漢字検索手段で検索された漢字と読みとの対を前記登録漢字一覧記憶部に登録する一覧登録手段、
前記登録漢字一覧記憶部に登録されている漢字と読みとの対を前記表示部に表示する一覧表示手段として機能させる。
【００２３】
本発明にかかる第３のプログラムは、第１または第２のプログラムにおいて、
前記辞書登録手段が、前記表示部に表示されている漢字と読みとの対の内の、利用者によって指定された漢字と読みとの対を前記かな漢字変換辞書に登録する構成を有することを特徴とする。
【００２４】
本発明にかかる第４のプログラムは、第１、第２または第３のプログラムにおいて、
前記キー項目が、コード、画数あるいは部首であることを特徴とする。
【００２５】
〔作用〕
利用者は、読みの分からない漢字を入力する場合、キー項目の値（例えば、漢字のコード、部首、画数など）を含む検索条件を入力する。漢字検索手段は、検索条件が入力されると、漢字と、その読みと、上記漢字を検索する際に使用するキー項目の値とが対応付けて登録された漢字検索用データ記憶部から、検索条件に合う漢字および読みを検索する。辞書登録手段は、漢字検索手段で検索された漢字と読みとの対をかな漢字変換辞書に登録する。
【発明の効果】
【００２６】
本発明によれば、読みの分からない漢字を操作性良くかな漢字変換辞書に登録することが可能になる。その理由は、キー項目（コード、画数、部首など）の値を含む検索条件が入力されたとき、漢字と、その読みと、上記漢字を検索する際に使用するキー項目の値とが対応付けて登録された漢字検索用データ記憶部から、検索条件に合う漢字および読みを検索し、その対を表示部に表示する漢字検索手段と、漢字検索手段が検索した漢字と読みとの対をかな漢字変換辞書に登録する辞書登録手段とを備えているからである。即ち、利用者が読みの分からない漢字の入力操作を行えば、かな漢字変換辞書への登録操作を行わなくとも、自動的にかな漢字変換辞書に漢字と読みが登録されるので、操作性良く読みの分からない漢字およびその読みをかな漢字変換辞書に登録することが可能になる。
【発明を実施するための最良の形態】
【００２７】
次に本発明の実施の形態について図面を参照して詳細に説明する。
【００２８】
〔第１の実施の形態の構成の説明〕
図１は本発明にかかるかな漢字変換装置の第１の実施の形態の構成例を示すブロック図である。同図を参照すると、かな漢字変換装置１には、ハードディスク装置などの記憶装置２と、キーボード等の入力部３と、ＬＣＤ等の表示部４とが接続されている。
【００２９】
記憶装置２には、漢字検索用データ記憶部２１と、かな漢字変換辞書２２とが設けられている。
【００３０】
漢字検索用データ記憶部２１には、漢字と、その漢字の音読み及び訓読みと、検索キーとなるＪＩＳコードとが対応付けて登録されている。図２に漢字検索用データ記憶部２１の内容例を示す。同図の例において、例えば、漢字「乖」は、ＪＩＳコードが「５０２Ａ」、音読みが「カイ」、訓読みが「そむク、もとル」であることを示している。
【００３１】
かな漢字変換辞書２２には、漢字と、その漢字の音読み及び訓読みとが対応付けて登録されている。図３にかな漢字変換辞書２２の内容例を示す。
【００３２】
かな漢字変換装置１は、検索条件入力手段１１と、漢字検索手段１２と、辞書登録手段１３と、かな漢字変換手段１４とを備えている。
【００３３】
検索条件入力手段１１は、次のような機能を有する。
【００３４】
・表示部４に図５に示すような読み不明漢字入力ウィンドウ４１を表示する機能。
・利用者が読み不明漢字入力ウィンドウ４１を利用して入力した検索条件を漢字検索手段１２に渡す機能。なお、本実施の形態では、利用者は検索条件としてＪＩＳコードを入力するものとする。
・漢字検索手段１２の検索結果（漢字とその読み）を読み不明漢字入力ウィンドウ４１に表示する機能。
・利用者が確定操作を行ったことを漢字検索手段１２に通知する機能。
【００３５】
漢字検索手段１２は、次のような機能を有する。
【００３６】
・検索条件入力手段１１から渡された検索条件に従って漢字検索用データ記憶部２１を検索し、検索結果（該当する漢字とその読み）を検索条件入力手段１１に渡す機能。
・検索条件入力手段１１から利用者が確定操作を行ったことが通知された場合、検索結果を辞書登録手段１３に渡す機能。
【００３７】
辞書登録手段１３は、漢字検索手段１２から渡された検索結果（漢字とその読み）をかな漢字変換辞書２２に登録する機能を有する。
【００３８】
かな漢字変換手段１４は、入力部３から入力された読みに対応する漢字をかな漢字変換辞書２２から検索して表示部４に表示する機能を有する。
【００３９】
なお、かな漢字変換装置１は、コンピュータによって実現可能なものであり、コンピュータによって実現する場合は、例えば、次のようにする。コンピュータをかな漢字変換装置１として機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、検索条件入力手段１１、漢字検索手段１２、辞書登録手段１３及びかな漢字変換手段１４を実現する。
【００４０】
〔第１の実施の形態の動作の説明〕
次に、本実施の形態の動作について詳細に説明する。
【００４１】
利用者は、読みの分からない漢字を入力する場合、入力部３を用いて検索条件入力手段１１を起動する。
【００４２】
これにより、検索条件入力手段１１は、表示部４に読み不明漢字入力ウィンドウ４１を表示する（図４のステップＳ４１）。図５は読み不明漢字入力ウィンドウ４１の一例を示す図であり、検索条件となるＪＩＳコードの入力欄４２と、検索された漢字の表示欄４３と、読みの表示欄４４と、確定ボタン４５とが設けられている。
【００４３】
利用者は、図５に示すような読み不明漢字入力ウィンドウ４１が表示部４に表示されると、入力する漢字のＪＩＳコードを入力欄４２に入力した後、確定ボタン４５を操作する（ステップＳ４２）。今、例えば、漢字「亂」を入力するのであれば、利用者は上記漢字に対応するＪＩＳコード「５０２Ｃ」を入力欄４２に入力した後、確定ボタン４５を操作する。
【００４４】
検索条件入力手段１１は、確定ボタン４５が操作されると、入力欄４２に入力されているＪＩＳコード「５０２Ｃ」を検索条件として漢字検索手段１２に渡す（ステップＳ４３）。
【００４５】
漢字検索手段１２は、検索条件入力手段１１からＪＩＳコード「５０２Ｃ」が渡されると、漢字検索用データ記憶部２１から該当する漢字とその読みを検索し、検索結果を検索条件入力手段１１に返却する（ステップＳ４４）。今、例えば、漢字検索用データ記憶部２１の内容が図２に示すものであるとすると、漢字検索手段１２は、漢字検索用データ記憶部２１から漢字「亂」とその読み「音読み；ラン、訓読み；おさメル、みだス」を検索し、検索結果を検索条件入力手段１１に返却することになる。
【００４６】
検索条件入力手段１１は、検索結果が返却されると、読み不明漢字入力ウィンドウ４１の漢字の表示欄４３に漢字「亂」を表示し、読みの表示欄４４に読み「音読み；ラン、訓読み；おさメル、みだス」を表示する（ステップＳ４５）。これにより、利用者は、漢字「亂」の読みを認識することができる。
【００４７】
利用者は、漢字の表示欄４３に表示されている漢字「亂」が入力しようとしている漢字であることを確認すると、確定ボタン４５を操作する（ステップＳ４６）。
【００４８】
これにより、検索条件入力手段１１は、表示欄４３に表示されている漢字「亂」を入力画面の文字入力位置（カーソル位置）に表示すると共に、漢字検索手段１２に対して確定操作が行われたことを通知する（ステップＳ４７，Ｓ４８）。
【００４９】
この通知を受けた漢字検索手段１２は、ステップＳ４４で検索した漢字「亂」とその読み「音読み；ラン、訓読み；おさメル、みだス」を辞書登録手段１３に渡す（ステップＳ４９）。これにより、辞書登録手段１３は、各読みに対応付けて漢字「亂」をかな漢字変換辞書２２に登録する（ステップＳ５０）。図６にステップＳ５０の処理が完了した後のかな漢字変換辞書２２の内容例を示す。図３と図６とを比較して分かるように、漢字と読みとの対２２１〜２２３が新たに追加されている。なお、今回登録しようとした漢字と読みとの対が既にかな漢字変換辞書２２に登録されている場合には、登録処理は行われない。
【００５０】
上述したように、漢字「亂」とその読みとを対応付けてかな漢字変換辞書２２に登録しておけば、以降は、かな漢字変換手段１４を用いて漢字「亂」を入力することが可能になる。
【００５１】
上述した実施の形態では、検索条件としてＪＩＳコードを使用するようにしたが、画数や、部首や、手書き入力パターンなどを検索条件とするようにしても良い。
【００５２】
〔画数を検索条件とする場合〕
画数を検索条件にする場合には、例えば、次のようにする。
【００５３】
漢字検索用データ記憶部２１の代わりに、漢字と、その読み（音読み，訓読み）と、キー項目となる画数とが対応付けて登録された、図７に示すような漢字検索用データ記憶部２１ａを使用する。
【００５４】
読み不明漢字入力ウィンドウ４１の代わりに、図８に示すような読み不明漢字入力ウィンドウ４１ａを使用する。同図に示すように、読み不明漢字入力ウィンドウ４１ａには、画数の入力欄４２ａと、検索条件に合う漢字の一覧を表示する表示欄４３ａと、表示欄４３ａに表示されている漢字の内の、利用者によって選択された漢字の音読み，訓読みを表示する表示欄４４ａと、確定ボタン４５ａとが設けられている。
【００５５】
利用者は、読みの分からない漢字を入力する場合、検索条件入力手段１１を起動する。これにより、検索条件入力手段１１は、図８に示すような読み不明漢字入力ウィンドウ４１ａを表示部４に表示する。
【００５６】
利用者は、読み不明漢字入力ウィンドウ４１ａが表示されると、入力欄４２ａに入力しようとしている読みの分からない漢字の画数を入力し、その後、確定ボタン４５ａを操作する。今、例えば、画数が二画の漢字「匚」を入力する場合には、利用者は、画数の入力欄４２ａに「２」を入力し、その後、確定ボタン４５ａを操作する。
【００５７】
これにより、検索条件入力手段１１は、検索条件として画数「２」を漢字検索手段１２に渡す。漢字検索手段１２は、漢字検索用データ記憶部２１ａから画数「２」の漢字およびその読みを全て検索し、検索結果を検索条件入力手段１１に返却する。このとき、検索される漢字としては、「二、七、匚、乃、…」がある。
【００５８】
検索条件入力手段１１は、漢字検索手段１２から検索結果が返却されると、図８に示すように、表示欄４３ａに検索された漢字の一覧「二、七、匚、乃、…」を表示する。利用者は、表示された一覧の中から入力する漢字「匚」を選択する。これにより、検索条件入力手段１１は、選択された漢字「匚」の読み「音読み；ホウ、訓読み；はこ」を表示する。そして、利用者が確定ボタン４５ａを操作すると、検索条件入力手段１１は、利用者が選択した漢字「匚」を特定する情報（例えば、検索された漢字の内の何番目の漢字かを示す情報など）を漢字検索手段１２に渡す。これにより、漢字検索手段１２は、上記情報によって特定される漢字「匚」と読み「音読み；ホウ、訓読み；はこ」を辞書登録手段１３に渡し、辞書登録手段１３は、かな漢字変換辞書２２に漢字「匚」とその読みを登録する。
【００５９】
〔部首を検索条件とする場合〕
また、部首を検索条件とする場合は、例えば、次のようにする。
【００６０】
漢字検索用データ記憶部２１の代わりに、漢字と、その読み（音読み及び訓読み）と、キー項目となる部首とが対応付けて登録された図９に示すような漢字検索用データ記憶部２１ｂを使用する。
【００６１】
読み不明漢字入力ウィンドウ４１の代わりに、図１０に示すような読み不明漢字入力ウィンドウ４１ｂを使用する。同図に示すように、読み不明漢字入力ウィンドウ４１ｂには、部首の選択欄４２ｂと、検索条件に合う漢字の一覧を表示する表示欄４３ｂと、表示欄４３ｂに表示されている漢字の内の、利用者によって選択された漢字の音読み，訓読みを表示する表示欄４４ｂと、確定ボタン４５ｂとが設けられている。
【００６２】
利用者は、読みの分からない漢字を入力する場合、検索条件入力手段１１を起動する。これにより、検索条件入力手段１１は、図１０に示すような読み不明漢字入力ウィンドウ４１ｂを表示部４に表示する。利用者は、読み不明漢字入力ウィンドウ４１ｂが表示されると、選択欄４２ｂを用いて入力したい漢字の部首を選択し、その後、確定ボタン４５ｂを操作する。今、例えば、漢字「叨」を入力したい場合は、選択欄４２ｂを用いて部首「口（くち）」を選択し、その後、確定ボタン４５ｂを操作する。
【００６３】
これにより、検索条件入力手段１１は、漢字検索手段１２に検索条件として部首「口」を渡す。漢字検索手段１２は、検索条件に合う全ての漢字とその読みを漢字検索用データ記憶部２１ｂから検索し、検索結果（漢字と読み）を検索条件入力手段１１に返却する。なお、この時、検索される漢字としては、「口、右、加、叮、叨、…」がある。
【００６４】
検索条件入力手段１１は、漢字検索手段１２から検索結果が返却されると、検索された漢字の一覧「口、右、加、叮、叨、…」を表示部４３ｂに表示する。利用者は、表示された漢字の中から入力したい漢字「叨」を選択する。これにより、検索条件入力手段１１は、利用者が選択した漢字「叨」の読み「音読み；トウ、訓読み；みだりニ」を表示部４４ｂに表示する。その後、利用者が確定ボタン４５ｂを操作すると、検索条件入力手段１１は、利用者が選択した漢字「叨」を特定する情報（例えば、検索された漢字の内の何番目の漢字かを示す情報など）を漢字検索手段１２に渡す。これにより、漢字検索手段１２は、上記情報によって特定される漢字「叨」と読み「音読み；トウ、訓読み；みだりニ」を辞書登録手段１３に渡し、辞書登録手段１３は、かな漢字変換辞書２２に漢字「叨」とその読みを登録する。
【００６５】
〔第１の実施の形態の効果〕
本実施の形態によれば、読みの分からない漢字を操作性良くかな漢字変換辞書２２に登録することが可能になる。その理由は、キー項目（コード、画数、部首など）の値を含む検索条件が入力されたとき、漢字と、その読みと、上記漢字を検索する際に使用するキー項目の値とが対応付けて登録された漢字検索用データ記憶部２１、２１ａ、２１ｂから、検索条件に合う漢字および読みを検索してその対を表示部に表示する漢字検索手段１２と、漢字検索手段１２が検索した漢字と読みとの対をかな漢字変換辞書２２に登録する辞書登録手段１３とを備えているからである。即ち、利用者が読みの分からない漢字の入力操作を行えば、かな漢字変換辞書２２への登録操作を行わなくとも、自動的にかな漢字変換辞書２２に漢字と読みが登録されるので、操作性良く読みの分からない漢字およびその読みをかな漢字変換辞書２２に登録することが可能になる。
【００６６】
〔第２の実施の形態〕
次に、本発明にかかるかな漢字変換装置の第２の実施の形態について説明する。前述した第１の実施の形態では、読みの分からない漢字をコード入力した際、上記漢字及びその読みが、かな漢字変換辞書２２に登録されると共に、上記漢字の読みが表示部４に表示されるので、以降は、表示された読みに基づきかな漢字変換手段１４を用いて漢字入力を行うことが可能になる。しかし、利用者が上記漢字の読みを忘れてしまう場合もある。このような場合、第１の実施の形態では、再び、コード入力を行う必要があり、操作性が悪い。そこで、本実施の形態では、漢字の読みを忘れてしまった場合、かな漢字変換辞書２２に新規に登録された漢字とその読みの一覧を表示できるようにすることにより、利用者が読みを忘れてしまった場合においても、かな漢字変換手段１４を用いて漢字入力を行えるようにしている。
【００６７】
〔第２の実施の形態の構成の説明〕
図１１は本発明にかかるかな漢字変換装置の第２の実施の形態の構成例を示すブロック図である。本実施の形態と図１に示した第１の実施の形態との相違点は、かな漢字変換装置１の代わりにかな漢字変換装置１ｃを備えている点、および記憶装置２の代わりに記憶装置２ｃを備えている点である。
【００６８】
記憶装置２ｃは、登録漢字一覧記憶部２３が追加されている点が、図１に示した記憶装置２と相違している。登録漢字一覧記憶部２３には、コード入力時にかな漢字変換辞書２２に登録された漢字とその読みの一覧が登録される。
【００６９】
かな漢字変換装置１ｃは、漢字検索手段１２の代わりに漢字検索手段１２ｃを備えている点、一覧登録手段１５が追加されている点、および一覧表示手段１６が追加されている点が、図１に示したかな漢字変換装置１と相違している。
【００７０】
漢字検索手段１２ｃは、漢字検索手段１２が備えている機能に加え、検索条件入力手段１１から利用者が確定操作を行ったことが通知されたとき、検索結果（漢字とその読み）を一覧登録手段１５に渡す機能を有する。
【００７１】
一覧登録手段１５は、漢字検索手段１２ｃから渡された漢字とその読みを対応付けて登録漢字一覧記憶部２３に登録する機能を有する。
【００７２】
一覧表示手段１６は、登録漢字一覧記憶部２３に登録されている漢字と読みとの対を全て表示部４に表示する機能を有する。
【００７３】
なお、かな漢字変換装置１ｃもかな漢字変換装置１と同様にコンピュータによって実現可能なものであり、コンピュータによって実現する場合は、例えば、次のようにする。コンピュータをかな漢字変換装置１ｃとして機能させるためのプログラムを記録したディスク，半導体メモリ，その他の記録媒体を用意し、コンピュータに上記プログラムを読み取らせる。コンピュータは、読み取ったプログラムに従って自身の動作を制御することにより、自コンピュータ上に、検索条件入力手段１１、漢字検索手段１２ｃ、辞書登録手段１３、かな漢字変換手段１４、一覧登録手段１５および一覧表示手段１６を実現する。
【００７４】
〔第２の実施の形態の動作の説明〕
次に、本実施の形態の動作について説明する。先ず、利用者が読みの分からない漢字をコード入力する場合の動作について説明する。読みの分からない漢字をコード入力する場合、利用者は、検索条件入力手段１１を起動する。これにより、前述したステップＳ４１〜Ｓ４８と同様の動作が行われる（図１２のステップＳ１２１）。即ち、利用者が読み不明漢字入力ウィンドウ４１の入力欄４２に用いて入力した検索条件（ＪＩＳコード）に合う漢字とその読みが読み不明漢字入力ウィンドウ４１の表示欄４３，４４に表示され、利用者が確定ボタン４５を操作すると、そのことが漢字検索手段１２ｃに通知される。これにより、かな漢字検索手段１２ｃは、漢字検索用データ記憶部２１から検索した漢字とその読みを、辞書登録手段１３および一覧登録手段１５に渡す（ステップＳ１２２）。
【００７５】
辞書登録手段１３は、漢字検索手段１２ｃから渡された漢字と読みをかな漢字変換辞書２２に登録する（ステップＳ１２３）。一方、一覧登録手段１５は、漢字検索手段１２ｃから渡された漢字と読みとを登録漢字一覧記憶部２３に登録する（ステップＳ１２４）。今、例えば、漢字検索手段１２ｃから、漢字「亂」と読み「音読み；ラン、訓読み；おさメル、みだス」が渡されたとすると、一覧登録手段１５は、図１３に示すように、漢字検索手段１２ｃから渡された漢字「亂」とその読みとを対応付けて登録漢字一覧記憶部２３に登録することになる。
【００７６】
後日、利用者が漢字「亂」を再び入力する場合には、その読みを入力すれば、かな漢字変換手段１４により漢字「亂」を入力することができるが、利用者が漢字「亂」の読みを忘れてしまっている場合もある。このような場合、利用者は、入力部３を利用して一覧表示手段１６を起動する。
【００７７】
これにより、一覧表示手段１６は、図１４のフローチャートに示すように、表示部４に図１５に示すような一覧表示ウィンドウ１６１を表示し（ステップＳ１４１）、更に、登録漢字一覧記憶部２３からそこに登録されている漢字と読みの一覧を取り出し、一覧表示ウィンドウ１６１に表示する（ステップＳ１４２，Ｓ１４３）。この表示を見た利用者は、漢字「亂」の読みが「ラン、おさメル、みだス」とあることが分かるので、何れかの読みを入力することにより、かな漢字変換手段１４を用いて漢字「亂」を入力することができる。
【００７８】
なお、本実施の形態に形態においても、第１の実施の形態の同様に、画数や、部首や、手書き入力パターンなどを検索条件とすることができる。
【００７９】
〔第２の実施の形態の効果〕
本実施の形態によれば、第１の実施の形態が有している効果に加え、利用者がかな漢字辞書へ登録された漢字の読みを忘れてしまった場合も、利用者にその読みを提示することができるという効果を得ることができる。その理由は、漢字検索手段１２ｃで検索された漢字と読みとの対を登録漢字一覧記憶部２３に登録する一覧登録手段１５と、登録漢字一覧記憶部２３に登録されている漢字と読みの対を表示部４に表示する一覧表示手段１６とを備えているからである。
【産業上の利用可能性】
【００８０】
本発明は、ワードプロセッサなどの文書作成装置に利用することができる。
【図面の簡単な説明】
【００８１】
【図１】本発明にかかるかな漢字変換装置の第１の実施の形態の構成例を示すブロック図である。
【図２】キー項目をＪＩＳコードとした漢字検索用データ記憶部２１の内容例を示す図である。
【図３】かな漢字変換辞書２２の内容例を示す図である。
【図４】読みが分からない漢字を入力する際のかな漢字変換装置１の処理例を示すフローチャートである。
【図５】読み不明漢字入力ウィンドウ４１の一例を示す図である。
【図６】漢字「亂」についての情報が登録された後の、かな漢字変換辞書２２の内容例を示す図である。
【図７】キー項目を画数とした漢字検索用データ記憶部２１ａの内容例を示す図である。
【図８】キー項目を画数としたときの読み不明漢字入力ウィンドウ４１ａの一例を示す図である。
【図９】キー項目を部首とした漢字検索用データ記憶部２１ｂの内容例を示す図である。
【図１０】キー項目を部首としたときの読み不明漢字入力ウィンドウ４１ｂの一例を示す図である。
【図１１】本発明にかかるかな漢字変換装置の第２の実施の形態の構成例を示すブロック図である。
【図１２】読みの分からない漢字を入力する際の、かな漢字変換装置１ｃの処理例を示すフローチャートである。
【図１３】登録漢字一覧記憶部２３の内容例を示す図である。
【図１４】一覧表示手段１６の処理例を示すフローチャートである。
【図１５】一覧表示ウィンドウ１６１の一例を示す図である。
【符号の説明】
【００８２】
１，１ｃ…かな漢字変換装置
１１…検索条件入力手段
１２，１２ｃ…漢字検索手段
１３…辞書登録手段
１４…かな漢字変換手段
１５…一覧登録手段
１６…一覧表示手段
２、２ｃ…記憶装置
２１…漢字検索用データ記憶部
２２…かな漢字変換辞書
２３…登録漢字一覧記憶部
３…入力部
４…表示部
【図１】
2007034583.tif 000003
【図２】
2007034583.tif 000004
【図３】
2007034583.tif 000005
【図４】
2007034583.tif 000006
【図５】
2007034583.tif 000007
【図６】
2007034583.tif 000008
【図７】
2007034583.tif 000009
【図８】
2007034583.tif 000010
【図９】
2007034583.tif 000011
【図１０】
2007034583.tif 000012
【図１１】
2007034583.tif 000013
【図１２】
2007034583.tif 000014
【図１３】
2007034583.tif 000015
【図１４】
2007034583.tif 000016
【図１５】
2007034583.tif 000017